(57)【要約】      （修正有）【課題】光拡散板の変形を抑制する手段を備え、均一な照明を供給可能な照明装置を提供する。【解決手段】照明装置は、光源と、光源を収容するとともに、光源からの光が出射する開口部を有するシャーシ１４と、光源から出射される光を拡散する光拡散板１５ａと、光拡散板１５ａをシャーシ１４の内面側から支持するための支持部材３０を備え、光拡散板１５ａは、その端部がシャーシ１４の開口端縁に拘束される一方、支持部材３０は、シャーシ１４の内面に対して端部が拘束される第１シート３４と、第１シート３４の光拡散板１５ａ側に貼り合わされ、第１シート３４より線膨張係数αが大きい第２シート３５からなる貼合シート３１を有し、貼合シート３１のうち第２シート３５には、光拡散板１５ａ側に突出し、光拡散板１５ａを支持可能な支持突部３２が形成されてなる。【選択図】図５
2009146599.tif 000002
【特許請求の範囲】
【請求項１】
光源と、
前記光源を収容するとともに、前記光源からの光が出射する開口部を有してなるシャーシと、
前記光源から出射される光を拡散する光拡散板と、
前記光拡散板を前記シャーシの内面側から支持するための支持部材と、を備え、
前記光拡散板は、その端部が前記シャーシの開口端縁に拘束されてなる一方、
前記支持部材は、前記シャーシの内面に対して端部が拘束される第１シートと、前記第１シートの前記光拡散板側に貼り合わされ、前記第１シートより線膨張係数αが大きい第２シートとからなる貼合シートを有し、
前記貼合シートのうち前記第２シートには、前記光拡散板側に突出し、前記光拡散板を支持可能な支持突部が形成されてなることを特徴とする照明装置。
【請求項２】
前記支持突部は、前記第２シートのうち、少なくとも前記光拡散板の中央部分と重畳する位置に設けられていることを特徴とする請求項１に記載の照明装置。
【請求項３】
前記支持突部の先端部は球面状とされていることを特徴とする請求項１又は請求項２に記載の照明装置。
【請求項４】
前記支持突部と前記光拡散板との間には、クリアランスが設けられていることを特徴とする請求項１から請求項３のいずれか１項に記載の照明装置。
【請求項５】
前記第２シートは、前記光源から出射される光を反射可能な構成とされることを特徴とする請求項１から請求項４のいずれか１項に記載の照明装置。
【請求項６】
前記光拡散板のうち前記光源と対向する面と反対側の面には、複数のレンズが配置されてなるレンズシートが貼り合わされていることを特徴とする請求項１から請求項５のいずれか１項に記載の照明装置。
【請求項７】
前記光拡散板と前記レンズシートとの間には、前記光源からの出射光を反射するための反射層が設けられ、
前記反射層は、前記複数のレンズの各々の境界部に選択的に配されていることを特徴とする請求項６に記載の照明装置。
【請求項８】
請求項１から請求項７のいずれか１項に記載の照明装置と、当該照明装置の表側に配される表示パネルとからなる表示装置。
【請求項９】
前記表示パネルは、一対の基板間に液晶を封入してなる液晶パネルとされる請求項８に記載の表示装置。
【請求項１０】
請求項８又は請求項９に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
例えば液晶表示装置は、表示パネルである液晶パネルと、液晶パネルの背面側に設置される外部光源であるバックライト装置とから構成される。このうち、バックライト装置には、複数本のランプ（例えば冷陰極管）と、各冷陰極管から発せられる線状の光を面状に変換するための光学部材（光拡散板等）と、光学部材を支持する支持ピンが備えられている。このような構成の液晶表示装置では、ランプを点灯することでバックライト装置内が高温環境に晒され、光学部材が熱膨張による変形を生じ、液晶パネルに均一な照射光を供給できない場合がある。
【０００３】
そこで、光学部材の変形を抑制する手段を備える液晶表示装置の一例として、下記特許文献１に開示されたものが知られている。特許文献１に記載の液晶表示装置は、ランプハウスと、該ランプハウスの上部に積み重ねて配置された光拡散板又は補強板、レンズシート及び／又は拡散シート等の表面シート、液晶パネルとからなる液晶表示装置であって、上記表面シートを液晶パネル側に凸となった湾曲状に支持するものとされている。
【特許文献１】特開２００４−２３３８２８公報
【発明の開示】
【発明が解決しようとする課題】
【０００４】
上記特許文献１に記載の液晶表示装置によれば、ランプの点灯に伴ってランプハウス内の温度が上昇すると、液晶パネル側に凸とされていた光拡散板及び表面シートの熱膨張が、その中央部から周縁に向かって行われるため、表面シートがシワになったり、折れ曲がって重なったり等の不所望な変形が生じ難いものとされている。さらに、仮に光拡散板及び表面シートが大きな熱変形を生じた場合にも平板状となるにすぎず、ランプ側へ凸となることで当該ランプと接触して破損することを抑止することが可能とされている。
【０００５】
しかしながら、上記構成によれば、ランプの点灯・消灯を繰り返すことに伴って、光拡散板及び表面シートは、平板状をなしたり、液晶パネル側に凸に湾曲状をなしたりを繰り返すこととなる。このような膨張・収縮の変形を繰り返すことにより、光拡散板及び表面シートには、徐々にシワ或いは折曲が生じる場合があった。
【０００６】
本発明は、上記のような事情に基づいてなされたものであって、光拡散板の変形を抑制する手段を備えることで、均一な照明を供給可能な照明装置を提供することを目的としている。また、本発明は、そのような照明装置を備えることで、高い表示品質を有する表示装置、及びそのような表示装置を備えた高品質のテレビ受信装置を提供することを目的としている。
【課題を解決するための手段】
【０００７】
上記課題を解決するために、本発明の照明装置は、光源と、前記光源を収容するとともに、前記光源からの光が出射する開口部を有してなるシャーシと、前記光源から出射される光を拡散する光拡散板と、前記光拡散板を前記シャーシの内面側から支持するための支持部材と、を備え、前記光拡散板は、その端部が前記シャーシの開口端縁に拘束されてなる一方、前記支持部材は、前記シャーシの内面に対して端部が拘束される第１シートと、前記第１シートの前記光拡散板側に貼り合わされ、前記第１シートより線膨張係数αが大きい第２シートとからなる貼合シートを有し、前記貼合シートのうち前記第２シートには、前記光拡散板側に突出し、前記光拡散板を支持可能な支持突部が形成されてなることを特徴とする。
【０００８】
このように、支持部材を構成する貼合シートを、線膨張係数αが異なる第１シートと第２シートとを貼り合わせた構成とすることにより、当該貼合シートは、高温環境下では、線膨張係数αが相対的に大きい第２シート側に凸に反る現象が生じる。この現象は、以下のように説明することができる。高温環境下において、線膨張係数αが相対的に大きい第２シートは、線膨張係数αが相対的に小さい第１シートに比してより大きく延伸する。ここで、第１シートと第２シートとは貼り合わされているため、両シートは互いに独立に延伸することができない。加えて、第１シートは、その端部がシャーシの内面に拘束されているため、シート面方向への延伸が抑止されている。その結果、支持部材の貼合シートは、第１シートと第２シートとの延伸量の差異をシート面に沿った平面的な変形で解消することができず、全体として、立体的な変形を生じることとなり、具体的には線膨張係数αが相対的に大きい第２シートを外側にして（凸にして）反りを生じるのである。
【０００９】
そして、本発明では、線膨張係数αが相対的に大きい第２シートを、支持部材の貼合シートのうち光拡散板側に配しているため、貼合シートは当該光拡散板側に凸に反りを生じ、その反りに伴って、第２シートから突出する支持突部も光拡散板側に膨出することとなる。一方、同じく高温環境に晒された光拡散板も熱膨張が生じるが、当該光拡散板は、その端部がシャーシの開口端縁に拘束されているため、より高温となるシャーシの内面側（支持部材側）に凸をなす変形を生じる力が働く。しかしながら、当該光拡散板は、膨出した支持突部によりシャーシの内面側から押圧されるため、全体として、シャーシの内面側へ凸をなす変形が抑制される。
つまり、本発明では、シャーシの内面側に配され、照明光の供給に対し比較的影響が小さい支持部材の熱変形を利用することで、光源の光出射側に配される光拡散板の変形を抑制する構成としている。その結果、光拡散板の膨張・収縮に伴うシワや折曲の発生を抑止することができ、均一な照明光を供給することが可能となる。
【００１０】
また、本発明の照明装置において、前記支持突部は、前記第２シートのうち、少なくとも前記光拡散板の中央部分と重畳する位置に設けられているものとすることができる。
光拡散板が高温環境に晒された場合には、当該光拡散板の中央部分を凸とするドーム状に変形する場合が多い。そこで、支持突部を、第２シートのうち光拡散板の中央部分と重畳する位置に設けることにより、光拡散板に生じ易い変形を確実に抑止することが可能となる。
【００１１】
また、前記支持突部の先端部は球面状とすることができる。
このように、支持突部の先端部を球面状とすることにより、当該支持突部により光拡散板を押圧する場合に、光拡散板は支持突部の球面に沿って変形するため、例えば支持突部の先端部が尖形とされた場合に比して応力集中が生じ難く、光拡散板の損傷を抑止することが可能となる。
【００１２】
また、前記支持突部と前記光拡散板との間には、クリアランスが設けられているものとすることができる。
このように、支持突部と光拡散板との間にクリアランスを設けておくことにより、光源の点灯に伴う支持部材の熱変形が生じて初めて、支持突部が光拡散板を押圧することとなる。これにより、押圧時に支持突部と光拡散板との当接部位に生じる応力を抑制することができ、支持突部による光拡散板の損傷を抑止することが可能となる。
【００１３】
また、前記第２シートは、前記光源から出射される光を反射可能な構成とすることができる。
このような構成によれば、光源から第２シート側へ出射された光を、光拡散板側へ反射して照明光として利用できるため、高い照明輝度を実現することが可能となる。
【００１４】
また、前記光拡散板のうち前記光源と対向する面と反対側の面には、複数のレンズが配置されてなるレンズシートが貼り合わされているものとすることができる。
【００１５】
このような構成によれば、光拡散板によって拡散された光がレンズシートの各レンズを通過することにより、例えば当該照明装置を用いた表示装置において、照明光を表示パネルの有効表示領域に高効率で集光させることが可能となる。
さらに、光拡散板は、レンズシートと貼り合わされた構成とされているため、高温環境下で独立して延伸することができず、レンズシートとの線膨張係数αの差異により、凸状をなす変形が一層生じ易くなる。ゆえに、このような構成の光拡散板を採用する場合には、本発明に係る支持部材の効果がより一層発揮されることとなる。
【００１６】
また、前記光拡散板と前記レンズシートとの間には、前記光源からの出射光を反射するための反射層が設けられ、前記反射層は、前記複数のレンズの各々の境界部に選択的に配されているものとすることができる。
この場合、反射層がレンズの非集光部に対応した領域に配されるのに対し、隣り合う反射層の間の開口部はレンズの集光部に対応した領域に配されてこととなる。したがって、反射層と開口部との大きさの比率を調整することで、光の拡散角度（集光角度）を容易にコントロールすることができる。その結果、当該照明装置を用いた表示装置において、表示に使われない方向への出射光を低減でき、光の利用効率を改善することが可能となる。
【００１７】
次に、上記課題を解決するために、本発明の表示装置は、上述した照明装置と、当該照明装置からの光を利用して表示を行う表示パネルと、を備えることを特徴とする。
このような表示装置によると、照明装置において均一性に優れた照明光を供給することが可能となるため、当該表示装置においても表示ムラのない高い表示品質を提供することが可能となる。
【００１８】
前記表示パネルとしては液晶パネルを例示することができる。このような表示装置は液晶表示装置として、種々の用途、例えばテレビやパソコンのデスクトップ画面等に適用でき、特に大型画面用として好適である。
【００１９】
また、本発明のテレビ受信装置は、上記表示装置を備えることを特徴とする。
このようなテレビ受信装置によると、表示装置において高い表示品質を提供することが可能であるため、高品質の映像を表示するテレビ受信装置を得ることが可能となる。
【発明の効果】
【００２０】
本発明の照明装置によると、光拡散板の変形を抑制する手段を備えることで、均一な照明光を供給することが可能となる。また、本発明の表示装置によると、高い表示品質を提供することが可能となる。さらに、本発明のテレビ受信装置によると、高品質なテレビ画像を提供することが可能となる。
【発明を実施するための最良の形態】
【００２１】
＜実施形態１＞
本発明の実施形態１を図１ないし図７によって説明する。本実施形態では、液晶表示装置１０を備えるテレビ受信装置ＴＶについて例示する。
図１は本実施形態に係るテレビ受信装置の概略構成を示す分解斜視図、図２は液晶表示装置の概略構成を示す分解斜視図、図３はその液晶表示装置のＡ−Ａ断面の構成を示す断面図、図４はその液晶表示装置に配設される光反射シート及び支持部材の配置態様に示す平面図、図５は図３の液晶表示装置の要部拡大断面図、図６は冷陰極管消灯時の光拡散板及び支持部材の態様を説明する模式図、図７は冷陰極管点灯時の光拡散板及び支持部材の態様を説明する模式図である。
【００２２】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長の方形をなし、短辺方向を鉛直線と一致させた縦置きの状態で収容されている。この液晶表示装置１０は、図２に示すように、表示パネルである液晶パネル１１と、外部光源であるバックライト装置１２とを備え、これらがベゼル１３などにより一体的に保持されるようになっている。
【００２３】
次に、液晶表示装置１０を構成する液晶パネル１１及びバックライト装置１２について説明する（図２及び図３参照）。
液晶パネル（表示パネル）１１は、一対のガラス基板が所定のギャップを隔てた状態で貼合されるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極等が設けられ、他方のガラス基板には、対向電極と、Ｒ（赤色），Ｇ（緑色），Ｂ（青色）等の各着色部が所定配列で配置されたカラーフィルタ等が設けられている。
【００２４】
バックライト装置（照明装置）１２は、所謂直下型のバックライト装置であって、液晶パネル１１のパネル面（すなわち表示面）の背面直下に、当該パネル面に沿って光源（ここでは高圧放電管として冷陰極管１７を用いている）を複数具備した構成となっている。
【００２５】
より詳細には、バックライト装置１２は、上面側に開口部１４ａを有する略箱型のシャーシ１４と、シャーシ１４の開口部１４ａを覆うようにして取り付けられる矩形状の光学部材１５（図示下側から順に光拡散板１５ａ、光拡散シート１５ｂ、レンズシート１５ｃ、反射型偏光板１５ｄ）と、この光学部材１５をシャーシ１４に保持するためのフレーム１６とを備える。なお、光拡散板１５ａは、その長辺側の端部を、シャーシ１４とフレーム１６との間に挟まれた状態で保持され、後述する線状の冷陰極管１７から出射される線状光を拡散して液晶パネル１１（光拡散シート１５ｂ）側に出射する機能を有する。
【００２６】
さらに、シャーシ１４内には、冷陰極管１７と、冷陰極管１７の両端部を保持するためのホルダ１８と、冷陰極管１７群の両端部及びホルダ１８群を一括して覆うランプホルダ１９と、冷陰極管１７をシャーシ１４に取り付けるためのランプクリップ２０とを備える。なお、当該バックライト装置１２においては、冷陰極管１７よりも光学部材１５側（シャーシ１４の開口部１４ａ側）が光出射側となっている。
【００２７】
冷陰極管１７は、線状光源の一種であり、その軸方向をシャーシ１４の長辺方向と一致させた姿勢でシャーシ１４内に取り付けられており、複数本が互いの軸を略平行にし、かつ互いの間に所定の間隔を空けた状態で並列配置されている。
【００２８】
シャーシ１４は、金属製とされ、矩形状の底板と、その各辺から立ち上がる側壁とからなる。このシャーシ１４には、冷陰極管１７の光出射側とは反対側（シャーシ１４の底板の内面側）に光反射シート２１が配設されている。
【００２９】
光反射シート２１は、合成樹脂製とされ、その表面が反射性に優れた白色とされており、図３に示すように、シャーシ１４の内面に沿ってそのほぼ全域を覆うように敷かれて一体化され、シャーシ１４の底面を構成している。この光反射シート２１により、冷陰極管１７から出射された光を光拡散板１５ａ等の光学部材１５側に反射させることが可能となっている。
【００３０】
さらに、光反射シート２１のうち光拡散板１５ａ側の面には、図３に示すように、光拡散板１５ａを支持するための支持部材３０が配されている。支持部材３０は、帯状の支持ベース（貼合シート）３１と、当該支持ベース３１から突出した略円錐形状の支持ピン（支持突起）３２とから構成されている。
支持ベース３１は、図４に示すように、シャーシ１４の短辺方向に沿って配され、具体的にはシャーシ１４の長辺方向の中央と、さらに所定間隔を空けてその両脇とに配設されている。当該支持ベース３１は、その両端部が係止片３３によりシャーシ１４の底面に係止されている。すなわち、支持ベース３１のうち両係止片３３の間に存する部位は、光反射シート２１に拘束されておらず、場合によっては光反射シート２１と離間可能なものとされている。
【００３１】
上記支持ベース３１は、図５に示すように、シャーシ１４の底板側に配される第１シート３４と、当該第１シート３４の上面（シャーシ１４とは反対側、光拡散板１５ａ側）に配される第２シート３５とが貼り合わされた構成とされている。本実施形態では、第１シート３４はポリエチレンテレフタラート製、第２シート３５はポリカーボネート製としているが、例えば他にもポリメチルメタクリレート、ポリスチレン等の合成樹脂から好適に選択することができる。ただし、第１シート３４と第２シート３５との組合せに関しては、第２シート３５の熱膨張係数α２が、第１シート３４の熱膨張係数α１よりも大きくなるように適宜選択する必要がある。本実施形態においては、第１シート３４の熱膨張係数α１は２×１０−５ｍｍ／℃とされる一方、第２シート３５の熱膨張係数α２は７×１０−５ｍｍ／℃とされており、第２シート３５の方が大きい熱膨張係数αを示す。
【００３２】
第２シート３５のうち光拡散板１５ａと対向する面には、先端部３２ａが球面状をなす略円錐形状の支持ピン３２が突設されている。より具体的には、支持ピン３２は、シャーシ１４の長辺方向の中央に配された支持ベース３１の中央部分（つまり光拡散板１５ａの中央部分と重畳する位置）、並びにその両脇に配された支持ベース３１の中央部分及び端部に設けられている。本実施形態では、支持ピン３２及び第２シート３５は白色部材とされ、冷陰極管１７から出射される光を光拡散板１５ａ側に反射する機能も有している。
【００３３】
複数配された支持ピン３２は、それぞれの高さが等しいものとされており、各支持ピン３２の先端部３２ａと光拡散板１５ａとの間には同一のクリアランスＤが設けられた構成とされている。本実施形態では、クリアランスＤは１．３ｍｍとされている（図５参照）。支持ピン３２は、当該クリアランスＤが解消される事態が生じた場合に、光拡散板１５ａを支持する機能を有している。
【００３４】
以上の構成による本実施形態に係る液晶表示装置１０及びテレビ受信装置ＴＶによると、以下のような作用効果が奏される。
本実施形態に係る液晶表示装置１０に備わる支持部材３０は、シャーシ１４に端部が係止され、シャーシ１４の底面側に配される第１シート３４と、その第１シート３４のうち光拡散板１５ａ側に貼り合わされ、当該第１シート３４より線膨張係数αが大きい第２シート３５とからなる支持ベース３１を有し、支持ベース３１のうち第２シート３５には、光拡散板１５ａ側に突出する支持ピン３２が形成されている。
このような構成によれば、液晶表示装置１０の冷陰極管１７を点灯することで、当該液晶表示装置１０内が高温環境となった場合に、支持部材３０の熱変形により光拡散板１５ａの熱変形を抑制する。その結果、光拡散板１５ａの膨張・収縮に伴うシワや折曲の発生を抑止することができ、均一な照明を供給することが可能となる。
【００３５】
上記作用効果について、図６及び図７を用いて以下に説明する。
冷陰極管１７の消灯時には、液晶表示装置１０内は常温環境にあり、光拡散板１５ａ及び支持部材３０は、図６に示すように、ともに平板状をなしている。これに対し、冷陰極管１７を点灯すると、当該冷陰極管１７等からの放熱により液晶表示装置１０内の温度が上昇し、光拡散板１５ａ及び支持部材３０は高温環境に晒されることとなる。この場合に、支持部材３０は、第１シート３４と、第１シート３４より線膨張係数αが大きい第２シート３５とからなるため、第２シート３５は第１シート３４より大きく延伸する。さらに、第２シート３５は冷陰極管１７に近い側に配されているため、より高温となりやすく、第１シート３４と第２シート３５との延伸量の差異はより顕著になる。ここで、第１シート３４と第２シート３５とは互い貼合されてそれぞれ独立に延伸することができないため、支持ベース３１は、図７に示すように、線膨張係数αが大きい（すなわち延伸量が大きい）第２シート３５側に凸に反りを生じることとなる。当該第２シート３５は光拡散板１５ａ側に配されているため、この反りに伴い、第２シート３５に設けられた支持ピン３２も光拡散板１５ａ側に膨出することとなる。
【００３６】
一方、同じく高温環境に晒された光拡散板１５ａも熱膨張が生じるが、当該光拡散板１５ａは、その端部がシャーシ１４の開口部１４ａの端縁に拘束されているため、より高温となるシャーシ１４の内面側（支持部材３０側）に凸をなす変形を生じる力が働く。しかしながら、当該光拡散板１５ａは、支持ベース３１の熱変形により膨出した支持ピン３２によりシャーシ１４の内面側から押圧されるため、全体として、シャーシ１４の内面側へ凸をなす変形が抑制され、平板状を保持することが可能となる。その結果、冷陰極管１７の点灯・消灯を繰り返した場合にも、光拡散板１５ａの膨張・収縮の繰り返しに伴うシワや折曲の発生を抑止することができ、当該照明装置は均一な照明光を供給することが可能となる。
【００３７】
また、本実施形態では、支持ピン３２を、第２シート３５のうち光拡散板１５ａの中央部分と重畳する位置に設けている。
光拡散板１５ａが高温環境に晒された場合には、当該光拡散板１５ａの中央部分を凸とするドーム状に変形する場合が多い。そこで、支持ピン３２を、第２シート３５のうち光拡散板１５ａの中央部分と重畳する位置に設けることにより、光拡散板１５ａに生じ易い変形を確実に抑止することが可能となる。
【００３８】
また、本実施形態では、支持ピン３２の先端部３２ａは球面状とされている。
これにより、支持ピン３２により光拡散板１５ａを押圧する場合に、光拡散板１５ａは支持ピン３２の球面に沿って変形するため、例えば支持ピン３２の先端部３２ａが尖形とされた場合に比して応力集中が生じ難く、光拡散板１５ａの損傷を抑止することが可能となる。
【００３９】
また、本実施形態では、支持ピン３２と光拡散板１５ａとの間に、クリアランスを設ける構成としている。
このような構成によれば、冷陰極管１７の点灯に伴う支持部材３０の熱変形が生じて初めて、支持ピン３２が光拡散板１５ａを押圧することとなる。これにより、押圧時に支持ピン３２と光拡散板１５ａとの当接部位に生じる応力を抑制することができ、支持ピン３２による光拡散板１５ａの損傷を抑止することが可能となる。
【００４０】
また、本実施形態では、第２シート３５は、冷陰極管１７から出射される光を反射可能な構成とされている。
このような構成によれば、冷陰極管１７から第２シート３５側へ出射された光を、光拡散板１５ａ側へ反射して照明光として利用できるため、高い照明輝度を実現することが可能となる。
【００４１】
＜実施形態２＞
次に、本発明の実施形態２を図８及び図９によって説明する。この実施形態２では、光拡散板を含む光学部材の構成を変更したものを示し、その他は前記実施形態と同様である。前記実施形態と同一部分には、同一符号を付して重複する説明を省略する。
図８は本実施形態に係る液晶表示装置に配設される光学部材の構成を示す斜視図、図９はその光学部材のＢ−Ｂ断面の構成を模式的に示す断面図である。
【００４２】
液晶表示装置１０に配設される光学部材４０は、液晶パネル１１やシャーシ１４と同様に横長の矩形状とされており、図８及び図９に示すように、光拡散板４１とレンズシート４２とが互いに貼り合わされた構成とされている。なお、光学部材４０は、光拡散板４１が冷陰極管１７と対向し、レンズシート４２が液晶パネル１１と対向するように、シャーシ１４の開口部に配設されている。
【００４３】
光拡散板４１は、入射光の拡散を行うものであって、透光性を有するポリスチレンからなる基材を有し、その内部には光を散乱させる光散乱粒子が分散配合された構成とされている。なお、本実施形態ではポリスチレンからなる基材を用いるものとしたが、例えばポリカーボネート、ポリメチルメタクリレート等の合成樹脂から好適に選択することが可能である。
【００４４】
レンズシート４２は、集光に異方性をもたせるべく（つまり所定方向の光を選択的に集光するべく）、例えばポリエチレンテレフタラートからなる透光性基材４３上に、複数の凸シリンドリカルレンズ４４が並列配置されてなるレンズ部４５を有して構成されている。本実施形態では、レンズ部４５はアクリル製とされている。この場合の凸シリンドリカルレンズ４４は、半円柱状の凸レンズが基材長辺方向に延在しており、短辺方向に並列配置された構成となっている。すなわち、当該凸シリンドリカルレンズ４４の延設方向は、冷陰極管１７の軸線方向と一致する態様とされている。なお、本実施形態ではポリエチレンテレフタラートからなる透光性基材４３を用いるものとしたが、例えばポリカーボネート、ポリメチルメタクリレート等の合成樹脂から好適に選択することが可能である。
【００４５】
また、光拡散板４１とレンズシート４２との間には、各凸シリンドリカルレンズ４４の境界部と平面視重畳する位置に選択的に配された反射層４６がストライプ状に形成されている。なお、隣り合う反射層４６の間の部分、つまり凸シリンドリカルレンズ４４の焦点位置と平面視重畳する位置には、透光部４７が形成されている。すなわち、反射層４６及び透光部４７は、それぞれが凸シリンドリカルレンズ４４の長手方向と略平行な所定幅の筋状をなしており、全体としてストライプ状をなしている。
【００４６】
反射層４６は、各凸シリンドリカルレンズ４４の谷部を中心とした所定幅の領域に形成されるのに対し、透光部４７は各凸シリンドリカルレンズ４４の頂点を中心とした所定幅の領域に形成されている。当該反射層４６は、例えば白色の酸化チタン微粒子が分散混入された樹脂基材等からなる。一方、透光部４７は空気層とされており、その屈折率が光拡散板４１やレンズシート４２とは相異している。なお、凸シリンドリカルレンズ４４の配列周期（レンズピッチ）及び反射層４６の配列周期（反射層ピッチ）は、ほぼ同じに設定されており、例えば１４０μｍ程度とされている。
【００４７】
上記した光学部材４０において、各冷陰極管１７から照射された光は、光拡散板４１により拡散された後、透光部４７を通過した場合は、そのまま凸シリンドリカルレンズ４４に入射して、その指向性が液晶パネル１１の有効表示領域に向けて方向付けられつつ出射される。一方、透光部４７を通過しない光は、反射層４６で反射されて冷陰極管１７側に戻り、光反射シート２１等によって再度光学部材４０側に出射されるものとされており、透光部４７を通過するまで反射を繰り返すことで、光の再利用を図る構成となっている。
【００４８】
以上、本実施形態に係る液晶表示装置１０に備わる光学部材４０は、光拡散板４１のうち冷陰極管１７と対向する面と反対側の面に、複数の凸シリンドリカルレンズ４４が配置されてなるレンズシート４２が貼り合わされている。
このような構成によれば、光拡散板４１によって拡散された光がレンズシート４２の各凸シリンドリカルレンズ４４を通過することにより、照射光を液晶パネル１１の有効表示領域に高効率で集光させることが可能となる。
【００４９】
さらに、光学部材４０は、光拡散板４１とレンズシート４２とが貼り合わされた構成とされているため、光拡散板４１が冷陰極管１７の点灯に伴う高温環境下で独立して延伸することができず、当該光拡散板４１とレンズシート４２との線膨張係数αの差異により、凸状をなす変形が一層生じやすくなる。そのため、当該光学部材４０を用いたバックライト装置１２においては、本発明に係る支持部材３０の熱変形による光拡散板４１の変形抑制効果がより一層発揮されることとなる。
【００５０】
また、本実施形態では、光拡散板４１とレンズシート４２との間に反射層４６が設けられ、当該反射層４６は、複数の凸シリンドリカルレンズ４４の各々の境界部に選択的に配されている。
この場合、反射層４６が凸シリンドリカルレンズ４４の非集光部に対応した領域に配されるのに対し、隣り合う反射層４６の間の透光部４７は凸シリンドリカルレンズ４４の集光部に対応した領域に配されていることとなる。したがって、反射層４６と透光部４７との大きさの比率を調整することで、光の拡散角度（集光角度）を容易にコントロールすることができる。その結果、当該液晶表示装置１０において、表示に使われない方向への出射光を低減でき、光の利用効率を改善することが可能となる。
【００５１】
＜実施形態３＞
次に、本発明の実施形態３を図１０及び図１１によって説明する。この実施形態３では、支持部材の構成を変更したものを示し、その他は前記実施形態と同様である。前記実施形態と同一部分には、同一符号を付して重複する説明を省略する。
図１０は本実施形態に係る液晶表示装置に配設される支持部材の構成を示す平面図、図１１はその液晶表示装置の要部拡大断面図である。
【００５２】
支持部材５０は、シャーシ１４の底板面とほぼ同一の形状・面積をなす板状の支持ベース５１と、当該支持ベース５１から突出した略円錐形状の支持ピン３２とから構成されている。
支持ベース５１は、図１０に示すように、シャーシ１４の底板の内面に沿ってそのほぼ全域を覆うように敷かれている。当該支持ベース５１の周縁部には係止孔（図示せず）が設けられ、当該係止孔を通じて係止片５２によりシャーシ１４の底板に係止されている。つまり、支持ベース５１は、係止された周縁部以外の部位、すなわち内側部分は、シャーシ１４に拘束されておらず、場合によってはシャーシ１４と離間可能なものとされている。
【００５３】
上記支持ベース５１は、図１１に示すように、シャーシ１４の底板に直接配設される第１シート５３と、当該第１シート５３の上面（シャーシ１４とは反対側、光拡散板１５ａ側）に配される第２シート５４とが貼り合わされた構成とされている。なお、本実施形態においても、上記実施形態１と同様に、第２シート５４の熱膨張係数α２は、第１シート５３の熱膨張係数α１より大きいものとされている。
【００５４】
また、第２シート５４は、その表面が反射性に優れた白色とされることで、光反射機能を有している。これにより、当該第２シート５４（つまり支持部材５０）は、冷陰極管１７から出射された光を光拡散板１５ａ等の光学部材１５側に反射させることが可能となっている。
【００５５】
以上に示した液晶表示装置１０によると、シャーシ１４の底板の全域に亘って配設された支持部材５０において、冷陰極管１７側に配された第２シート５４が光反射機能を有するものとされている。
これにより、冷陰極管１７から出射された光を、光拡散板１５ａへ反射して照明光として利用できるため、高い照明輝度を実現することが可能となる。さらに、別途、光反射シートを設ける必要がないため、部品点数を削減することができ、コスト削減に寄与することが可能となる。
【００５６】
さらに、支持ベース５１がシャーシ１４の底板の全域に亘って敷かれた構成とされているため、仮に当該液晶表示装置１０において、シャーシ１４の底板面方向に温度勾配がついた場合にも、当該支持ベース５１は、光拡散板１５ａに生じる熱変形と対称をなす変形形状をなすことができ、光拡散板１５ａの変形を確実に抑止することが可能となる。
【００５７】
＜他の実施形態＞
以上、本発明の実施形態について示したが、本発明は上記記述及び図面によって説明した実施形態に限定されるものではなく、例えば次のような実施形態も本発明の技術的範囲に含まれる。
【００５８】
（１）上記した実施形態１では、支持部材３０を、シャーシ１４の底板の短辺方向に沿って帯状をなす支持ベース３１を有するものとしたが、支持ベースの態様はこれに限らず、例えば図１２に示すように、シャーシ１４の底板の長辺方向に沿って延びる支持ベース６１を有する支持部材６０を採用しても良い。
【００５９】
（２）上記した実施形態１では、支持部材３０の第２シート３５を白色部材として、冷陰極管１７から出射される光を反射可能なものとしたが、第２シートに光反射能を付与すべく、例えば、第２シートの表面に光反射材料を塗布する構成としても良い。実施形態３における第２シート５４も同様である。
【００６０】
（３）上記した各実施形態では、支持ピンを略円錐形状としたが、支持ピンの形状はこれに限らず、例えば、略三角錐形状、略四角錐形状等の多角錐形状、円筒形状、多角柱形状等としても良い。
【００６１】
（４）上記した各実施形態では、支持部材に設けられた複数の支持ピンが、全て同一の高さとされたものと例示したが、光拡散板ないし支持部材の変形状態に鑑み、異なる高さの支持ピンを設けた支持部材も本発明に含まれる。
【００６２】
（５）上記した各実施形態では、光源として冷陰極管１７を使用した場合を示したが、例えば熱陰極管など他の種類の光源を用いたものも本発明に含まれる。
【００６３】
（６）上記した各実施形態では、液晶表示装置１０のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【００６４】
（７）上記した各実施形態では、表示パネルとして液晶パネル１１を用いた液晶表示装置１０を例示したが、他の種類の表示パネルを用いた表示装置にも本発明は適用可能である。
【図面の簡単な説明】
【００６５】
【図１】本発明の実施形態１に係るテレビ受信装置の概略構成を示す分解斜視図。
【図２】図１のテレビ受信装置に備わる液晶表示装置の概略構成を示す分解斜視図。
【図３】図２の液晶表示装置のＡ−Ａ断面の構成を示す断面図。
【図４】図２の液晶表示装置に配設される光反射シート及び支持部材の配置態様に示す平面図。
【図５】図３の液晶表示装置の要部拡大断面図。
【図６】冷陰極管消灯時の光拡散板及び支持部材の態様を説明する模式図。
【図７】冷陰極管点灯時の光拡散板及び支持部材の態様を説明する模式図。
【図８】本発明の実施形態２に係る液晶表示装置に配設される光学部材の構成を示す斜視図。
【図９】図８の光学部材のＢ−Ｂ断面の構成を模式的に示す断面図。
【図１０】本発明の実施形態３に係る液晶表示装置に配設される支持部材の構成を示す平面図。
【図１１】図１０の液晶表示装置の要部拡大断面図。
【図１２】支持部材の一変形例を示す平面図。
【符号の説明】
【００６６】
１０…液晶表示装置（表示装置）、１１…液晶パネル（表示パネル）、１２…バックライト装置（照明装置）、１４…シャーシ、１４ａ…開口部、１５ａ…光拡散板、１７…冷陰極管（光源）、３０…支持部材、３１…支持ベース（貼合シート）、３２…支持ピン（支持突部）、３２ａ…支持ピンの先端部、３４…第１シート、３５…第２シート、４２…レンズシート、４４…レンズ、４７…反射層、ＴＶ…テレビ受信装置
【図１】
2009146599.tif 000003
【図２】
2009146599.tif 000004
【図３】
2009146599.tif 000005
【図４】
2009146599.tif 000006
【図５】
2009146599.tif 000007
【図６】
2009146599.tif 000008
【図７】
2009146599.tif 000009
【図８】
2009146599.tif 000010
【図９】
2009146599.tif 000011
【図１０】
2009146599.tif 000012
【図１１】
2009146599.tif 000013
【図１２】
2009146599.tif 000014